(57)【特許請求の範囲】
【請求項１】
ワイヤレス装置と、前記ワイヤレス装置接続可能な電子機器とからなるワイヤレス情報入力装置であって、
前記ワイヤレス装置は、情報を入力するスイッチと、前記電子機器と無線通信する第１の通信部と、前記第１の通信部の無線信号を送受信する第１のアンテナと、第１のバッテリセルを有し、
前記電子機器は、外部機器の接続ポートまたは前記ワイヤレス装置のいずれかに電気的に接続する接続端子と、第２のバッテリセルと、前記接続端子が前記外部機器に電気的に接続された場合に前記外部機器から供給される電力により前記第２のバッテリセルを充電し、前記接続端子が前記ワイヤレス装置に電気的に接続された場合に前記第２のバッテリセルの電力を前記接続端子を介して前記ワイヤレス装置に供給する電力制御手段と、前記ワイヤレス装置と無線通信するための第２の通信部と、前記第２の通信部の無線信号を送受信する第２のアンテナとを備えるワイヤレス情報入力装置。
【請求項２】
外部機器の接続ポートに電気的に接続する接続端子と、第２のバッテリセルと、前記接続端子が前記外部機器に電気的に接続された場合に前記外部機器から供給される電力により前記第２のバッテリセルを充電し、前記第２のバッテリセルの電力を外部に供給する電力制御手段と、無線通信するための第２の通信部と、前記第２の通信部の無線信号を送受信する第２のアンテナとを備える電子機器と接続可能なワイヤレス装置であって、
情報を入力するスイッチと、前記電子機器と無線通信する第１の通信部と、前記第１の通信部の無線信号を送受信する第１のアンテナと、前記接続端子と接続されることで前記第２のバッテリセルから電力の供給を受ける第１のバッテリセルを有するワイヤレス装置。
【請求項３】
情報を入力するスイッチと、無線通信する第１の通信部と、前記第１の通信部の無線信号を送受信する第１のアンテナと、第１のバッテリセルを有するワイヤレス装置と接続可能な電子機器であって、
外部機器の接続ポートまたは前記ワイヤレス装置のいずれかに電気的に接続する接続端子と、第２のバッテリセルと、前記接続端子が前記外部機器に電気的に接続された場合に前記外部機器から供給される電力により前記第２のバッテリセルを充電し、前記接続端子が前記ワイヤレス装置に電気的に接続された場合に前記第２のバッテリセルの電力を前記接続端子を介して前記ワイヤレス装置に供給する電力制御手段と、前記外部のワイヤレス装置と無線通信するための第２の通信部と、前記第２の通信部の無線信号を送受信する第２のアンテナとを有する電子機器。
【請求項４】
前記第１の通信部及び前記第２の通信部は、互いにＢｌｕｅｔｏｏｔｈ（登録商標）の規格により互いに通信する請求項１−３のいずれか１項に記載のワイヤレス情報入力装置。
【請求項５】
前記電子機器は、ワイヤレスマウス、ワイヤレスＵＳＢハブ、ワイヤレスヘッドホン及びレーザーポインターのいずれかである請求項１−４のいずれか１項に記載のワイヤレス情報入力装置。
【発明の詳細な説明】
【技術分野】
【０００１】
本発明は、ワイヤレス情報入力装置、ワイヤレス装置及び電子機器に関する。
【背景技術】
【０００２】
従来の技術として、ワイヤレス情報入力装置に対して電力を供給して充電するバッテリを備えたワイヤレス情報入力装置がある（例えば、特許文献１参照）。
【０００３】
この特許文献１のワイヤレス情報入力装置によると、ワイヤレス情報入力装置は、２次電池、充電制御回路および放電制御回路を有するとともに、充電をＵＳＢ端子を介しておこなうバッテリを別体で備える。このバッテリを予めパーソナルコンピュータ（ＰＣ）のＵＳＢポート等から充電しておくことで、ワイヤレス情報入力装置が有する二次電池の電力が消耗しても、バッテリをワイヤレス情報入力装置に装着することで、バッテリからワイヤレス情報入力装置の二次電池を屋外等で容易に充電することができる。
【特許文献１】特開２００７−９５４１７号公報
【発明の開示】
【発明が解決しようとする課題】
【０００４】
しかし、従来のワイヤレス情報入力装置によると、バッテリがワイヤレス情報入力装置と別体であるため、バッテリからワイヤレス情報入力装置の充電中は、ワイヤレス情報入力装置を使用しづらいという問題がある。また、バッテリが別体であるため、携帯性に乏しいという問題がある。
【０００５】
従って、本発明の目的は、バッテリからワイヤレス情報入力装置へ電力供給中にその使用を妨げず、携帯性に優れたワイヤレス情報入力装置、ワイヤレス装置及び電子機器を提供することにある。
【課題を解決するための手段】
【０００６】
（１）本発明は上記目的を達成するため、ワイヤレス装置と、前記ワイヤレス装置接続可能な電子機器とからなるワイヤレス情報入力装置であって、
前記ワイヤレス装置は、情報を入力するスイッチと、前記電子機器と無線通信する第１の通信部と、前記第１の通信部の無線信号を送受信する第１のアンテナと、第１のバッテリセルを有し、
前記電子機器は、外部機器の接続ポートまたは前記ワイヤレス装置のいずれかに電気的に接続する接続端子と、第２のバッテリセルと、前記接続端子が前記外部機器に電気的に接続された場合に前記外部機器から供給される電力により前記第２のバッテリセルを充電し、前記接続端子が前記ワイヤレス装置に電気的に接続された場合に前記第２のバッテリセルの電力を前記接続端子を介して前記ワイヤレス装置に供給する電力制御手段と、前記ワイヤレス装置と無線通信するための第２の通信部と、前記第２の通信部の無線信号を送受信する第２のアンテナとを備えるワイヤレス情報入力装置を提供する。
【００１３】
このような構成によれば、バッテリは、ワイヤレス情報入力装置の使用中に通信部およびアンテナとして機能し、ワイヤレス情報入力装置の不使用時にワイヤレス情報入力装置を充電するバッテリとして機能する。
【発明の効果】
【００１４】
本発明によれば、バッテリからワイヤレス情報入力装置へ電力供給中にその使用を妨げず、携帯性に優れたワイヤレス情報入力装置、ワイヤレス装置及び電子機器を実現できる。
【発明を実施するための最良の形態】
【００１５】
以下に、本発明のワイヤレス情報入力装置の実施の形態を、図面を参照して詳細に説明する。
【００１６】
〔第１の実施の形態〕
（構  成）
【００１７】
図１は、本発明の第１の実施の形態に係るＰＣおよびワイヤレスマウスの構成を示す概略図である。
【００１８】
ワイヤレス情報入力装置としてのワイヤレスマウス１は、バッテリ２をバッテリ挿入口１０に挿入して装着することで電力供給を受けて動作し、ＰＣ３と例えば、Ｂｌｕｅｔｏｏｔｈ（商標登録）等を介して通信して操作信号を伝達する。
【００１９】
ワイヤレスマウス１は、ＰＣ３の表示画面上のＧＵＩ（Ｇｒａｐｈｉｃ  Ｕｓｅｒ  Ｉｎｔｅｒｆａｃｅ）において決定または選択等の操作を行うスイッチ１１ａおよび１１ｂと、スクロール等の操作に用いるホイール１１ｃと、バッテリ２が挿入されるバッテリ挿入口１０と、本体底面に図示しない位置認識のための位置認識光学制御部を有する。位置認識光学制御部は、例えばレーザーと光学センサを用いて構成される。
【００２０】
バッテリ２は、内部に充電可能なバッテリセル、充電回路および放電回路を有し、充電の際に用いるＵＳＢ（Ｕｎｉｖｅｒｓａｌ  Ｓｅｒｉａｌ  Ｂｕｓ）端子２０と、ワイヤレスマウス１へ電力供給する際に用いる電源供給端子２１とを有する。バッテリセルは、例えばリチウムイオン電池であり、定格出力電圧が５Ｖで、消費出力電流が５Ａ以下である。
【００２１】
ＰＣ３は、本体、表示部、およびキーボードを有する一般的なＰＣの構成であり、本体にデータの送受信およびバスパワーの供給が可能なＵＳＢポート３０を有する。ＵＳＢポート３０は、電源電圧定格５Ｖで最大消費電流５Ａの電力を接続機器に対して供給するパスパワーラインと、外部機器と通信を行う信号ラインを有する。
【００２２】
図２は、本発明の第１の実施の形態に係るワイヤレスマウスの概略構成を示すブロック図である。
【００２３】
ワイヤレスマウス１は、スイッチ１１ａおよび１１ｂとホイール１１ｃとからなる操作部１１と、ワイヤレスマウス１の底面に設けられた位置認識光学制御部１２と、操作部１１の操作信号および位置認識光学制御部１２の認識位置信号等をＢｌｕｅｔｏｏｔｈ（登録商標）を介して外部と通信する通信部１３と、通信の際に信号を外部と送受信するアンテナ１４と、バッテリ２から供給される電力を制御する電池制御部１５と、バッテリ２の電源供給端子２１と接続される接続端子１６とを有し、各部はバス１７によって接続されている。
【００２４】
図３は、本発明の第１の実施の形態に係るバッテリの概略構成を示すブロック図である。
【００２５】
バッテリ２は、ＰＣ３のＵＳＢポート３０と接続されてバスパワーの供給を受けるＵＳＢ端子２０と、ＵＳＢ端子２０から供給される電力を後述するバッテリセル２２に充電する充電回路２０Ａと、ワイヤレスマウス１の接続端子１６に接続されることで電力を供給する電源供給端子２１と、バッテリセル２２を放電制御して電源供給端子２１に電力供給する放電回路２１Ａと、充電および放電の可能な二次電池のバッテリセル２２とを有する。
【００２６】
（動  作）
バッテリ２は、ＵＳＢ端子２０をＰＣ３のＵＳＢポート３０に装着することで、ＵＳＢポート３０から定格出力電圧５Ｖのバスパワー供給を受けることができる。充電回路２０Ａは、ＵＳＢ端子２０を介して供給されたバスパワーでバッテリセル２２を充電する。
【００２７】
バッテリ２は、ＵＳＢポート３０のバスパワー供給により充電を完了すると、ワイヤレスマウス１を使用するために、ワイヤレスマウス１のバッテリ挿入口１０に挿入される。装着の際、電源供給端子２１をバッテリ挿入口に挿入して内部の接続端子１６に装着する。放電回路２１Ａは、電源供給端子２１に接続端子１６が接続されると、バッテリセル２２から接続端子１６に対して電力を供給する。バッテリ２は、ワイヤレスマウス１に装着されることで本体内に収納される。このとき、バッテリ２は、ワイヤレスマウス１の本体から突出しないように収納される。なお、バッテリ２の収納の際、バッテリ挿入口１０の部分がワイヤレスマウス１の本体の形状と同一面を形成するように、バッテリ挿入口１０にカバーを設けてもよい。
【００２８】
ワイヤレスマウス１は、バッテリ２から供給される電力を電池制御部１５により変圧や整流等を行い各部へ供給する。スイッチ１１ａおよび１１ｂ、ホイール１１ｃの操作は操作部１１において信号に変換され、通信部１３からアンテナ１４を介してＰＣ３へと送信される。また、ワイヤレスマウス１本体の移動操作は位置認識光学制御部１２において位置情報を信号に変換され、通信部１３からアンテナ１４を介してＰＣ３へと送信される。
【００２９】
（第１の実施の形態の効果）
上記した第１の実施の形態によると、バッテリ２はＵＳＢポート３０のバスパワー供給により充電可能で、ワイヤレスマウス１の使用時にはバッテリ挿入口１０に挿入することでワイヤレスマウス１に電力を供給するとともに、ワイヤレスマウス１の本体外部に突出することなく収納されるので、その操作を妨げない。
【００３０】
なお、ＵＳＢポート３０は、ＰＣ３に設置されるものでなくとも、ＵＳＢ規格の電圧および電流で電力を供給するものであればよく、ＵＳＢポートを備えたＡＣアダプタ等を用いてもよい。
【００３１】
〔第２の実施の形態〕
図４は、本発明の第２の実施の形態に係るＰＣおよびワイヤレスマウスの構成を示す概略図である。なお、以下の説明において、第１の実施の形態と同一の構成および機能を有する部分については共通の符号を付している。
【００３２】
バッテリ２は、内部に充電可能なバッテリセル、充電回路および放電回路を有し、充電および放電の際に用いるＵＳＢ端子２０とを有する。また、バッテリ２は、図示しない回路切替スイッチを有する。
【００３３】
図５は、本発明の第２の実施の形態に係るバッテリの概略構成を示すブロック図である。
【００３４】
バッテリ２は、ＰＣ３のＵＳＢポート３０と接続されてバスパワーの供給を受けるとともに、ワイヤレスマウス１の接続端子１６に接続されることで電力を供給するＵＳＢ端子２０と、ＵＳＢ端子２０から供給される電力をバッテリセル２２に充電する充電回路２０Ａと、バッテリセル２２を放電制御してＵＳＢ端子２０に電力供給する放電回路２１Ａと、充電回路２０Ａまたは放電回路２１Ａのうち使用する回路を切り替える回路切替スイッチ２３と、充電および放電の可能な二次電池のバッテリセル２２とを有する。
【００３５】
（動作）
バッテリ２は、回路切替スイッチ２３を充電モードに切り替えて、ＵＳＢ端子２０と充電回路２０Ａとを接続して放電回路２１Ａを切り離す。ＵＳＢ端子２０は、ＰＣ３のＵＳＢポート３０に装着することで、ＵＳＢポート３０から定格出力電圧５Ｖのバスパワー供給を受けることができる。充電回路２０Ａは、ＵＳＢ端子２０を介してバスパワー供給を受け、バッテリセル２２を充電する。
【００３６】
ワイヤレスマウス１の使用者は、回路切替スイッチ２３を放電モードに切り替えて、バッテリ２をワイヤレスマウス１のバッテリ挿入口１０に挿入すると、ワイヤレスマウス１を使用可能状態にすることができる。装着の際、ＵＳＢ端子２０が、バッテリ挿入口１０内部の接続端子１６に装着される。
【００３７】
回路切替スイッチ２３が放電モードとなると、ＵＳＢ端子２０と放電回路２１Ａとが接続されて充電回路２０Ａを切り離される。放電回路２１Ａは、ＵＳＢ端子２０に接続端子１６が接続されると、バッテリセル２２から接続端子１６に対して電力を供給する。
【００３８】
（第２の実施の形態の効果）
上記した第２の実施の形態によると、第１の実施の形態による効果に加え、回路切替スイッチ２３を設けたことにより、電源供給端子２１を設けることなくＵＳＢ端子２０のみで構成することができる。
【００３９】
また、ＵＳＢ端子２０を放電モードの際に用いるため、バッテリ２を他のＵＳＢバスパワー対応機器への電力供給に使用することができる。
【００４０】
〔第３の実施の形態〕
図６は、本発明の第３の実施の形態に係るバッテリの概略構成を示すブロック図である。
【００４１】
バッテリ２は、ＰＣ３のＵＳＢポート３０と接続されてバスパワーの供給を受けるとともに、ワイヤレスマウス１の接続端子１６に接続されることで電力を供給するＵＳＢ端子２０と、ＵＳＢ端子２０から供給される電力をバッテリセル２２に充電する充電回路２０Ａと、バッテリセル２２を放電制御してＵＳＢ端子２０に電力供給する放電回路２１Ａと、充電回路２０Ａまたは放電回路２１Ａのうち使用する回路を切り替える回路切替部２５と、ＵＳＢ端子２０に接続された外部機器からの電力供給の有無を判断し、判断結果に基づいて回路切替部２５に制御信号を送信する判断部２４と、充電および放電の可能な二次電池のバッテリセル２２とを有する。
【００４２】
（動作）
バッテリ２は、ＵＳＢ端子２０をＰＣ３のＵＳＢポート３０に装着することで、ＵＳＢポート３０から定格出力電圧５Ｖのバスパワー供給を受けることができる。判断部２４は、ＵＳＢ端子２０に対して電力供給があると判断すると、回路切替部２５に制御信号を送信する。回路切替部２５は、判断部２４の制御信号に基づいて充電モードに切り替えて、ＵＳＢ端子２０と充電回路２０Ａとを接続して放電回路２１Ａを切り離す。充電回路２０Ａは、ＵＳＢ端子２０を介してバスパワー供給を受け、バッテリセル２２を充電する。
【００４３】
バッテリ２がＵＳＢポート３０のバスパワー供給により充電を完了すると、ワイヤレスマウス１を使用するために、バッテリ２は、ワイヤレスマウス１のバッテリ挿入口１０に挿入され、ＵＳＢ端子２０に接続端子１６が接続される。判断部２４は、ＵＳＢ端子２０に対して電力供給がないと判断すると、回路切替部２５に制御信号を送信する。回路切替部２５は、判断部２４の制御信号に基づいて放電モードに切り替えて、ＵＳＢ端子２０と放電回路２１Ａとを接続して充電回路２０Ａを切り離す。放電回路２１Ａは、バッテリセル２２から接続端子１６に対して電力を供給する。
【００４４】
（第３の実施の形態の効果）
上記した第３の実施の形態によると、第２の実施の形態による効果に加え、判断部２４および回路切替部２５を設けたことにより、回路切替スイッチを手動で切り替えることなく、自動で充電または放電を切り替えてさらに容易に使用することができる。
【００４５】
〔第４の実施の形態〕
【００４６】
図７は、本発明の第４の実施の形態に係るＰＣおよびワイヤレスマウスの構成を示す概略図である。
【００４７】
ワイヤレス情報入力装置としてのワイヤレスマウス１は、二次電池を有し、二次電池の電力で動作する。二次電池は、バッテリ２をバッテリ挿入口１０に挿入して装着することで電力供給を受けて充電される。ワイヤレスマウス１は、ＰＣ３のＵＳＢポート３０に接続されたバッテリ２のアンテナ１４Ａを介してＰＣ３と通信する。
【００４８】
バッテリ２は、内部に充電可能なバッテリセル、充電回路および放電回路を有するとともに、Ｂｌｕｅｔｏｏｔｈ（登録商標）により通信するアンテナ２８および通信部を有する。
【００４９】
ＰＣ３は、一般的なＰＣの構成を有し、データの送受信およびバスパワーの供給が可能なＵＳＢポート３０を有する。ＰＣ３本体は、Ｂｌｕｅｔｏｏｔｈ（登録商標）の通信機能を有さず、バッテリ２の通信機能を利用して通信を行う。
【００５０】
図８（ａ）および（ｂ）は、本発明の第４の実施の形態に係るワイヤレスマウスの概略構成を示すブロック図である。
【００５１】
ワイヤレスマウス１は、操作部１１の操作信号をＢｌｕｅｔｏｏｔｈ（登録商標）を介して図８（ａ）に示すようにＰＣ３に接続されたバッテリ２と通信する通信部１３と、充電および放電が可能な二次電池としてのバッテリセル１８と、図８（ｂ）に示すように接続端子１６に接続されたバッテリ２およびバッテリセル１８の電力を制御する電池制御部１５と、図８（ｂ）に示すようにバッテリ２のＵＳＢ端子２０と接続される接続端子１６とを有し、各部はバス１７によって接続されている。
【００５２】
図９は、本発明の第４の実施の形態に係るバッテリの概略構成を示すブロック図である。
【００５３】
バッテリ２は、ＵＳＢコントローラ２６を有し、ＵＳＢ端子２０のバスパワーラインを回路切替部２５へ接続し、信号ラインを通信部２７へ接続している。ＵＳＢコントローラ２６は、回路切替部２５に対し制御信号を送信するための信号ラインをさらに設けており、ＵＳＢ端子２０におけるポーリング（後述）の有無に基づいて、ＵＳＢコントローラ２６が回路切替部２５に制御信号を送信する。通信部２７は、ＰＣ３と連携してＢｌｕｅｔｏｏｔｈ（登録商標）通信のための動作を実行する。
【００５４】
（動作）
バッテリ２は、図８（ａ）に示すように、ＵＳＢ端子２０をＰＣ３のＵＳＢポート３０に装着することで、ＵＳＢポート３０から定格出力電圧５Ｖのバスパワー供給を受けることができる。ＵＳＢコントローラ２６は、ＵＳＢ端子２０の信号ラインを介してＰＣ３からポーリングを受信し、そのポーリングに対してデバイスＩＤを送信する。ＵＳＢコントローラ２６は、ＰＣ３からのポーリングがある場合、ＰＣ３と接続されているため電力供給があると判断し、回路切替部２５に制御信号を送信する。回路切替部２５は、判断部２４の制御信号に基づいて充電モードに切り替えて、ＵＳＢ端子２０と充電回路２０Ａとを接続して放電回路２１Ａを切り離す。充電回路２０Ａは、ＵＳＢ端子２０を介してバスパワー供給を受け、バッテリセル２２を充電する。
【００５５】
また、ＵＳＢコントローラ２６は、ＰＣ３からポーリングを受信した場合、ＵＳＢ端子２０の信号ラインを通信部２７に接続する。通信部２７は、ＰＣ３の制御の下、アンテナ２８を介してワイヤレスマウス１と通信する。ワイヤレスマウス１は、バッテリセル１８から供給される電力で動作する。
【００５６】
バッテリ２がＵＳＢポート３０のバスパワー供給により充電を完了した後、ワイヤレスマウス１の使用者は、ワイヤレスマウス１を充電するために、バッテリ２をワイヤレスマウス１のバッテリ挿入口１０に挿入する（図８（ｂ））。その際、ＵＳＢ端子２０は、接続端子１６に接続される。
【００５７】
ＵＳＢコントローラ２６は、ＵＳＢ端子２０に対してポーリングがないと判断すると、回路切替部２５に制御信号を送信する。回路切替部２５は、判断部２４の制御信号に基づいて放電モードに切り替えて、ＵＳＢ端子２０と放電回路２１Ａとを接続して充電回路２０Ａを切り離す。放電回路２１Ａは、バッテリセル２２から接続端子１６に対して電力を供給する。
【００５８】
ワイヤレスマウス１は、バッテリ２から接続端子１６を介して電力供給を受けると、充電モードとなり、電池制御部１５は、供給された電力をバッテリセル１８の充電に用いる。電池制御部１５は、接続端子１６からバッテリ２が取り外されると、充電モードから放電モードに切り替えて、バッテリセル１８の電力を使用してワイヤレスマウス１を動作させる。
【００５９】
（第４の実施の形態の効果）
上記した第４の実施の形態によると、バッテリ２は、充電中に通信用のアンテナとして機能し、ワイヤレスマウス１に装着することでバッテリセル１８を充電することができる。そのため、ワイヤレスマウス１が使用中の場合は、バッテリセル１８の電力で動作でき、ワイヤレスマウス１が不使用中である場合は、バッテリセル１８を充電することができる。
【００６０】
なお、ワイヤレス情報入力装置として、ワイヤレスマウス１に限らず、ワイヤレスＵＳＢハブ、ワイヤレスヘッドホン、レーザーポインター等にバッテリ２を適用してもよい。
【００６１】
また、本発明においてＵＳＢ端子およびＵＳＢポートについて説明してきたが、これに限らず他の規格の端子およびポートに対して本発明を適用してもよい。
［１］情報を入力するスイッチを有する本体と、
外部機器の接続ポートに接続することで電力の供給を受ける接続端子と、充電および放電が可能なバッテリセルと、前記接続端子から供給される電力により前記バッテリセルを充電する充電回路と、前記バッテリセルの電力を放電する放電回路と、前記本体に装着することにより前記バッテリセルの電力を前記本体に対して供給する電力供給端子とを備えるバッテリとを有し、
前記バッテリは、前記本体に装着することにより前記本体に収納されることを特徴とするワイヤレス情報入力装置。
［２］情報を入力するスイッチを有する本体と、
外部機器の接続ポートに接続する接続端子と、充電および放電が可能なバッテリセルと、前記接続端子から供給される電力により前記バッテリセルを充電する充電回路と、前記バッテリセルの電力を前記接続端子を介して前記本体に対して供給する放電回路と、前記充電回路または前記放電回路と前記バッテリセルとの接続を切り替える切替スイッチとを備えるバッテリとを有し、
前記バッテリは、前記本体に装着することにより前記本体に収納されることを特徴とするワイヤレス情報入力装置。
［３］情報を入力するスイッチを有する本体と、
外部接続ポートに接続する接続端子と、充電および放電が可能なバッテリセルと、前記接続端子から供給される電力により前記バッテリセルを充電する充電回路と、前記バッテリセルの電力を前記接続端子を介して前記本体に対して供給する放電回路と、前記接続端子に対する外部からの電力供給の有無を判断する判断部と、前記充電回路または前記放電回路と前記バッテリセルとの接続を前記判断部の判断に基づいて切り替える切替回路とを備えるバッテリとを有し、
前記バッテリは、前記本体に装着することにより前記本体に収納されることを特徴とするワイヤレス情報入力装置。
［４］情報を入力するスイッチと、外部機器と無線通信する第１の通信部と、前記第１の通信部の無線信号を前記外部機器と送受信する第１のアンテナと、充電および放電が可能な第１のバッテリセルを有する本体と、
前記外部機器の接続ポートまたは前記本体に接続する接続端子と、充電および放電が可能な第２のバッテリセルと、前記接続端子から供給される電力により前記第２のバッテリセルを充電する充電回路と、前記接続端子が前記本体に接続された際に前記第２のバッテリセルの電力を前記接続端子を介して前記第１のバッテリセルに対して供給する放電回路と、前記接続端子に対する外部からの電力供給の有無を判断する判断部と、前記充電回路または前記放電回路と前記バッテリセルとの接続を前記判断部の判断に基づいて切り替える切替回路と、前記外部機器が前記本体と無線通信するための第２の通信部と、前記第２の通信部の無線信号を前記本体と送受信するアンテナとを備えるバッテリとを有し、
前記バッテリは、前記本体に装着することにより前記本体に収納されることを特徴とするワイヤレス情報入力装置。
［５］前記接続端子および前記接続ポートは、ＵＳＢ（Ｕｎｉｖｅｒｓａｌ Ｓｅｒｉａｌ Ｂｕｓ）規格に基づくことを特徴とする前記［１］〜［４］のいずれかに記載のワイヤレス情報入力装置。
［６］前記判断部は、ＵＳＢコントローラであり、前記接続端子に接続された対象からのポーリングの有無により電力供給の有無を判断することを特徴とする前記［３］または［４］に記載のワイヤレス情報入力装置。
【図面の簡単な説明】
【００６２】
【図１】本発明の第１の実施の形態に係るＰＣおよびワイヤレスマウスの構成を示す概略図である。
【図２】本発明の第１の実施の形態に係るワイヤレスマウスの概略構成を示すブロック図である。
【図３】本発明の第１の実施の形態に係るバッテリの概略構成を示すブロック図である。
【図４】本発明の第２の実施の形態に係るＰＣおよびワイヤレスマウスの構成を示す概略図である。
【図５】本発明の第２の実施の形態に係るバッテリの概略構成を示すブロック図である。
【図６】本発明の第３の実施の形態に係るバッテリの概略構成を示すブロック図である。
【図７】本発明の第４の実施の形態に係るＰＣおよびワイヤレスマウスの構成を示す概略図である。
【図８】（ａ）および（ｂ）は、本発明の第４の実施の形態に係るワイヤレスマウスの概略構成を示すブロック図である。
【図９】本発明の第４の実施の形態に係るバッテリの概略構成を示すブロック図である。
【符号の説明】
【００６３】
１…ワイヤレスマウス、２…バッテリ、３…パーソナルコンピュータ、１０…バッテリ挿入口、１１…操作部、１１ａ…スイッチ、１１ｂ…スイッチ、１１ｃ…ホイール、１２…位置認識光学制御部、１３…通信部、１４…アンテナ、１５…電池制御部、１６…接続端子、１７…バス、１８…バッテリセル、２０…ＵＳＢ端子、２０Ａ…充電回路、２１…電源供給端子、２１Ａ…放電回路、２２…バッテリセル、２３…回路切替スイッチ、２４…判断部、２５…回路切替部、２６…ＵＳＢコントローラ、２７…通信部、２８…アンテナ、３０…ＵＳＢポート
【図１】
0005329791.tif 000002
【図２】
0005329791.tif 000003
【図３】
0005329791.tif 000004
【図４】
0005329791.tif 000005
【図５】
0005329791.tif 000006
【図６】
0005329791.tif 000007
【図７】
0005329791.tif 000008
【図８】
0005329791.tif 000009
【図９】
0005329791.tif 000010